(57)【特許請求の範囲】
【請求項１】
サーバから受信する受信情報を、一定の画面枠に順次表示する端末であって、
前記受信情報を時系列に受信する情報受信手段と、
前記情報受信手段が時系列に受信した受信情報を、前記一定の画面枠の一方の端部から他方の端部に向けて移動させながら順次表示する表示手段とを備え、
前記受信情報は、前記一定の画面枠での表示保証時間に関する情報と関連付けられた所定の受信情報を含み、
前記所定の受信情報が、前記表示保証時間を経過していないにも関わらず、前記受信情報の移動によって前記一定の画面枠から外れるか否かを判定し、前記所定の受信情報が一定の画面枠から外れると判定するとき、前記一定の画面枠の一方の端部からの前記所定の受信情報の表示を再度開始する再表示手段を備える端末。
【請求項２】
前記情報受信手段は、前記サーバから、前記所定の受信情報を、前記表示保証時間に関する情報とともに受信する請求項１に記載の端末。
【請求項３】
端末が、サーバから受信する受信情報を、一定の画面枠に順次表示する方法であって、
前記受信情報を時系列に受信する情報受信工程と、
前記情報受信工程で時系列に受信した受信情報を、前記一定の画面枠の一方の端部から他方の端部に向けて移動させながら順次表示する表示工程と、
前記一定の画面枠での表示保証時間に関する情報と関連付けられた所定の受信情報が、この表示保証時間を経過していないにも関わらず、前記受信情報の移動によって前記一定の画面枠から外れるか否かを判定し、前記所定の受信情報が一定の画面枠から外れると判定するとき、前記一定の画面枠の前記一方の端部からの前記所定の受信情報の表示を再度開始する再表示工程とを含む方法。
【請求項４】
サーバから受信する受信情報を、端末が有する一定の画面枠に順次表示させるためのプログラムであって、
前記受信情報を時系列に受信する情報受信工程と、
前記情報受信工程で時系列に受信した受信情報を、前記一定の画面枠の一方の端部から他方の端部に向けて移動させながら順次表示する表示工程と、
前記一定の画面枠での表示保証時間に関する情報と関連付けられた所定の受信情報が、この表示保証時間を経過していないにも関わらず、前記受信情報の移動によって前記一定の画面枠から外れるか否かを判定し、前記所定の受信情報が一定の画面枠から外れると判定するとき、前記一定の画面枠の前記一方の端部からの前記所定の受信情報の表示を再度開始する再表示工程とを前記端末に実行させるためのプログラム。
【発明の詳細な説明】
【技術分野】
【０００１】
本発明は、情報を表示する端末、方法及びプログラムに関する。
【背景技術】
【０００２】
近年では、ＴＷＩＴＴＥＲ（登録商標）等のサービスが急速に普及している（例えば、非特許文献１参照）。ＴＷＩＴＴＥＲは、単にユーザがつぶやいた独り言の文字列等を通信ネットワークを介して受信して公衆に閲覧可能に記憶するだけのものであるが、所定のユーザのつぶやきを更新のつど閲覧したり（フォロー）、あるユーザのつぶやきに対して他のユーザがそれを引用して自らのつぶやきとしたり（リツイート）、所定のユーザのつぶやきに自らのコメントを追加して投稿したり（クオートツイート）することもできる。このように、さまざまな形態での応答が発展することにより、あたかも大勢で会話しているような感覚を与えることができる。
【０００３】
また、ＴＷＩＴＴＥＲの魅力として、速報性の高さも挙げられる。例えば、どこかで地震が起こると、「地震だ！」というつぶやきが次々に投稿され、このつぶやきに対し、フォロー、リツイート、クオートツイートが次々に行われる。その結果、地震が発生したことの情報をテレビのニュースやインターネットのニュースサイトよりも早く提供できる場合がある。
【先行技術文献】
【非特許文献】
【０００４】
【非特許文献１】ツイッター完全活用術、日本、アスキー・メディアワークス、２０１０年２月２６日、８〜９頁
【発明の概要】
【発明が解決しようとする課題】
【０００５】
しかし、既存の技術では、サーバから配信される情報を、配信された順に順次表示する。そのため、複数の情報が短時間に多数配信されると、現在表示している情報を十分に確認できないまま、次の情報に切り替わってしまう可能性がある。
【０００６】
本発明は、複数の情報が短時間に多数配信された場合であっても、一定の情報については、その情報の内容を確実に伝えることの可能な端末、方法及びプログラムを提供することを目的とする。
【課題を解決するための手段】
【０００７】
本発明では、以下のような解決手段を提供する。
【０００８】
（１）  サーバから受信する受信情報を、一定の画面枠に順次表示する端末であって、前記受信情報を時系列に受信する情報受信手段と、前記情報受信手段が時系列に受信した受信情報を、前記一定の画面枠の一方の端部から他方の端部に向けて移動させながら順次表示する表示手段とを備え、前記受信情報は、前記一定の画面枠での表示保証時間に関する情報と関連付けられた所定の受信情報を含み、前記表示保証時間を経過していないにも関わらず、前記所定の受信情報が前記受信情報の移動によって前記一定の画面枠から外れるときは、前記一定の画面枠の一方の端部からの前記所定の受信情報の表示を再度開始する再表示手段を備える端末。
【０００９】
（１）に記載の発明によれば、情報受信手段は受信情報を時系列に受信し、表示手段は、その受信した情報を、一定の画面枠の一方の端部から他方の端部に向けて移動させながら順次表示する。そして、受信情報は、一定の画面枠での表示保証時間に関する情報と関連付けられた所定の受信情報を含み、再表示手段は、表示保証時間を経過していないにも関わらず、所定の受信情報が受信情報の移動によって一定の画面枠から外れるときは、一定の画面枠の一方の端部からの所定の受信情報の表示を再度開始する。これにより、時間の経過とともに画面外に流れてしまう受信情報のうち、表示保証時間が経過していない所定の受信情報は、一定の画面枠に再度表示されるため、その受信情報の内容を確実に伝えることの可能な端末を提供することができる。
【００１０】
（２）  前記情報受信手段は、前記サーバから、前記所定の受信情報を、前記表示保証時間に関する情報とともに受信する（１）に記載の端末。
【００１１】
（２）に記載の発明によれば、例えば、商品又は役務の広告等、ユーザに確実に視認してほしい受信情報については、表示保証時間を長く指定することで、ユーザに対し、その受信情報の内容を確実に伝えることの可能な端末を提供することができる。
【００１２】
（３）  端末が、サーバから受信する受信情報を、一定の画面枠に順次表示する方法であって、前記受信情報を時系列に受信する情報受信工程と、前記情報受信工程で時系列に受信した受信情報を、前記一定の画面枠の一方の端部から他方の端部に向けて移動させながら順次表示する表示工程と、前記一定の画面枠での表示保証時間に関する情報と関連付けられた所定の受信情報が、この表示保証時間を経過していないにも関わらず、前記受信情報の移動によって前記一定の画面枠から外れるときは、前記一定の画面枠の前記一方の端部からの前記所定の受信情報の表示を再度開始する再表示工程とを含む方法。
【００１３】
（４）  サーバから受信する情報を、端末が有する一定の画面枠に順次表示させるためのプログラムであって、前記受信情報を時系列に受信する情報受信工程と、前記情報受信工程で時系列に受信した受信情報を、前記一定の画面枠の一方の端部から他方の端部に向けて移動させながら順次表示する表示工程と、前記一定の画面枠での表示保証時間に関する情報と関連付けられた所定の受信情報が、この表示保証時間を経過していないにも関わらず、前記受信情報の移動によって前記一定の画面枠から外れるときは、前記一定の画面枠の前記一方の端部からの前記所定の受信情報の表示を再度開始する再表示工程とを前記端末に実行させるためのプログラム。
【００１４】
（３）に記載の方法によれば、当該方法に係る発明を実施することにより、（１）と同様の効果が期待できる。また、（４）記載のプログラムによれば、当該プログラムに係る発明を実施することにより、（１）と同様の効果が期待できる。
【発明の効果】
【００１５】
本発明によれば、複数の情報が短時間に多数配信された場合であっても、表示保証時間を経過していないにも関わらず、所定の受信情報が受信情報の移動によって一定の画面枠から外れるときは、一定の画面枠の一方の端部からの所定の受信情報の表示を再度開始する。従って、表示保証時間と関連付けられた所定の受信情報の内容を確実に伝えることの可能な端末、方法及びプログラムを提供することができる。
【図面の簡単な説明】
【００１６】
【図１】本実施形態に係る端末１を説明するための全体構成を示す図である。
【図２】本実施形態に係る受信情報データベース２１を示す図である。
【図３】本実施形態に係る表示保証時間データベース２２を示す図である。
【図４】本実施形態に係る端末１のフローチャートである。
【図５】本実施形態に係る端末１の画面枠３０での表示例を示す図である。
【図６】変形例に係る端末１の画面枠３０での表示例を示す図である。
【発明を実施するための形態】
【００１７】
以下、本発明の実施形態について図を参照しながら説明する。
【００１８】
［全体構成］
図１は、本実施形態に係る端末３を説明するための全体構成を示す図である。端末１は、情報配信サーバ２とネットワークを介して接続され、情報配信サーバ２から受信する受信情報を、一定の画面枠に順次表示する。
【００１９】
端末１は、制御部１０と、記憶部２０とを備える。制御部１０は、端末１に係る各機能を統括的に制御する部分であり、情報配信サーバ２から受信した受信情報を時系列に受信する情報受信部１１を備える。受信情報は、一定の画面枠での表示保証時間に関する情報と関連付けられた所定の受信情報を含む。
【００２０】
記憶部２０は、受信情報データベース２１及び表示保証時間データベース２２を備え、情報受信部１１が受信した情報のうち、受信情報は基本的に受信情報データベース２１に記憶されるが、表示保証時間に関する情報は表示保証時間データベース２２に記憶される。これら情報受信部１１、受信情報データベース２１及び表示保証時間データベース２２は、情報受信手段として機能する。
【００２１】
受信情報データベース２１は、図２に例示される。受信情報データベース２１は、情報受信部１１が受信した受信情報を記憶するデータベースであり、受信時刻を示す「受信時刻」フィールドと、受信情報の種類を識別する「受信情報ＩＤ」フィールドと、受信情報の内容を示す「内容」フィールドとを有する。
【００２２】
また、表示保証時間データベース２２は、図３に例示される。表示保証時間データベース２２は、情報受信部１１が受信した受信情報のうち、表示保証時間に関する情報を記憶するデータベースであり、先に説明した「受信情報ＩＤ」フィールドと、表示保証時間の内容を示す「表示保証時間」フィールドとを有する。
【００２３】
例えば、受信情報ＩＤが「Ａ」に属する受信情報であれば、表示保証時間は１５分であり、受信情報ＩＤが「Ｂ」に属する受信情報であれば、表示保証時間はない。また、受信情報ＩＤが「Ｃ」に属する受信情報であれば、表示保証時間は１０分である。
【００２４】
図１に戻り、制御部１０は、情報受信部１１が時系列に受信した受信情報を、一定の画面枠の一方の端部から他方の端部に向けて移動させながら順次表示する表示部１２を備える。この表示部１２は、表示手段として機能する。
【００２５】
また、制御部１０は、表示保証時間を経過していないにも関わらず、所定の受信情報が受信情報の移動によって一定の画面枠から外れるときは、一定の画面枠の一方の端部からの所定の受信情報の表示を再度開始する再表示部１３を備える。この再表示は、受信情報データベース２１に記憶された受信情報及び表示保証時間データベース２２に記憶された、表示保証時間に関する情報を参照して行われる。これら再表示部１３、受信情報データベース２１及び表示保証時間データベース２２は、再表示手段として機能する。
【００２６】
なお、本実施形態に係る受信情報は、例えばＪａｖａＳｃｒｉｐｔ（登録商標）とＣＳＳを組み合わせたＤＨＴＭＬを用いて実現することができる。具体的には、＜ｄｉｖ＞タグで指定した情報表示範囲にＣＳＳを適用し、受信情報を表示させるスクリプトプログラムを記載して動作させる。或いはＦｌａｓｈ（登録商標）等のベクターイメージを取り扱うソフトウェアを介して表示させてもよい。
【００２７】
［本実施形態のハードウェア及びソフトウェアの構成］
本実施形態のハードウェア及びソフトウェアの構成について説明する。端末１のハードウェアには、制御装置（制御部）としてのＣＰＵの他、記憶装置（記憶部）、通信装置（通信部）、表示装置（表示部）及び入力装置（入力部）が含まれる。記憶装置（記憶部）としては、例えば、メモリ（ＲＡＭ、ＲＯＭ等）、ハードディスクドライブ（ＨＤＤ）又は光ディスク（ＣＤ、ＤＶＤ等）ドライブ等が挙げられる。通信装置（通信部）としては、例えば、各種有線又は無線インターフェース装置等が挙げられる。表示装置（表示部）としては、例えば、液晶ディスプレイ又はプラズマディスプレイ等の各種ディスプレイが挙げられる。入力装置（入力部）としては、例えば、キーボード、ポインティング・デバイス（マウス等）又はリモコン装置等が挙げられる。
【００２８】
端末１のソフトウェアには、上記ハードウェアを制御するプログラムやデータが含まれる。プログラムやデータは、記憶装置（記憶部）により記憶され、制御装置（制御部）により適宜実行、参照される。また、コンピュータ・プログラムやデータは、電磁的方法により配布することも可能であり、ＣＤ−ＲＯＭ等のコンピュータ可読媒体に記録して配布することも可能である。
【００２９】
［フローチャート］
図４は、本実施形態に係る端末１による受信情報表示処理のフローチャートである。
【００３０】
ステップＳ１では、情報受信部１１は、情報受信処理を行う。この処理では、情報受信部１１は、情報配信サーバ２から受信した受信情報を時系列に受信し、受信した情報のうち、表示保証時間に関する情報以外の情報を受信情報データベース２１に、表示保証時間に関する情報を表示保証時間データベース２２に書き込む処理を行う。
【００３１】
ステップＳ２では、表示部１２は、表示処理を行う。この処理では、表示部１２は、情報受信部１１が時系列に受信した受信情報を、一定の画面枠の一方の端部から他方の端部に向けて移動させながら順次表示する処理を行う。
【００３２】
ステップＳ３では、再表示部１３は、再表示処理を行う。この処理では、再表示部１３は、一定の画面枠での表示保証時間に関する情報と関連付けられた所定の受信情報が、この表示保証時間を経過していないにも関わらず、受信情報の移動によって一定の画面枠から外れるか否かを判別する。そして、再表示部１３は、所定の受信情報が一定の画面枠から外れると判別するとき、当該一定の画面枠の一方の端部からの所定の受信情報の表示を再度開始する。
【００３３】
ステップＳ４では、制御部１０は、一連の処理を終了するか否かを判別する。終了すると判別する場合、制御部１０は、一連の処理を終了する。一方、終了しないと判別する場合、制御部１０は、処理をステップＳ１に移す。
【００３４】
［本実施形態に係る端末１の実施例］
図５は、本実施形態に係る端末１、方法及びプログラムを実施したときの端末１の画面枠３０での表示例を示す図である。
【００３５】
端末１には、一定の画面枠３０が設けられている。情報受信部１１は、情報配信サーバ２からの受信情報を、表示保証時間に関する情報とともに時系列に受信する。図２を例にすると、情報受信部１１は、３月２９日（以下同じ）の１３時００分に、受信情報ＩＤ「Ａ」に属する「最新携帯端末の発売は明日から！」という情報を、表示保証時間「１５分」という情報ともに受信し、１３時０３分に、受信情報ＩＤ「Ｂ」に属する「日本チャンス！」という情報を、表示保証時間「なし」という情報ともに受信する。また、情報受信部１１は、１３時０４分に、受信情報ＩＤ「Ｂ」に属する「がんばれ！ニッポン！」という情報を、表示保証時間「なし」という情報ともに受信し、１３時０７分に、受信情報ＩＤ「Ｂ」に属する「○○行けえ。シュートだあ。」という情報を、表示保証時間「なし」という情報ともに受信する。その際、受信情報は、受信情報データベース２１に記憶され、表示保証時間に関する情報は、表示保証時間データベース２２に記憶される。
【００３６】
そして、表示部１２は、情報受信部が時系列に受信した受信情報を、画面枠３０の正面から見て上方から下方に向けて順に移動させながら表示する。図５の（１）は、時刻が１３時０８分であるときの表示例を示す。画面枠３０では、下から順に、１３時００分に受信した「最新携帯端末の発売は明日から！」という情報、１３時０３分に受信した「日本チャンス！」という情報、１３時０４分に受信した「がんばれ！ニッポン！」という情報、及び１３時０７分に受信した「○○行けえ。シュートだあ。」という情報が表示されている。
【００３７】
続いて、再表示部１３は、受信情報を移動させる際に、受信情報ＩＤ「Ａ」に属する受信情報の表示保証時間（１５分）が経過していないにも関わらず、受信情報が画面枠３０から外れるときは、その受信情報を画面枠２０の先頭に再度割り当て、この受信情報の表示を再度開始する。
【００３８】
図５の（２）は、時刻が１３時１０分であるときの表示例を示す。図２の例によると、１３時０８分から１０分までの間に、情報受信部１１は、新たに、受信情報ＩＤ「Ｂ」に属する「打つか。打つか。」という情報を、表示保証時間「なし」という情報ともに受信している。そのため、受信情報ＩＤ「Ａ」に属する「最新携帯端末の発売は明日から！」という受信情報は、その表示保証時間（１５分）が経過していないにも関わらず、画面枠３０から外れることになる。そこで、この受信情報は、再表示部１３によって、画面枠３０の先頭に再度割り当てられて表示されている。
【００３９】
図５の（３）は、時刻が１３時１２分であるときの表示例を示す。図２の例によると、１３時１０分から１２分までの間に、情報受信部１１は、新たに、受信情報ＩＤ「Ｂ」に属する「ゴーーーーーーーール！！！」という情報を、表示保証時間「なし」という情報ともに受信している。そこで、表示部１２は、それぞれの受信情報を、順次表示領域３１を移動させながら表示している。
【００４０】
本実施形態に記載の発明によると、情報受信部１１は、受信情報ＩＤ「Ａ」等に属する受信情報を、表示保証時間に関する情報とともに時系列に受信し、表示部１２は、その受信した情報を、一定の画面枠３０に予め配列した表示領域３１の先頭から順次割り当てて移動させながら表示する。そして、受信情報を移動させる際に、受信情報ＩＤ「Ａ」等に属する受信情報の表示保証時間が経過していないにも関わらず、受信情報が一定の画面枠３０から外れる場合、再表示部１３は、一定の画面枠３０から外れる受信情報を画面枠３０のに再度割り当てて表示する。これにより、時間の経過とともに画面外に流れてしまう情報のうち、その情報の表示保証時間が経過していない情報は、一定の画面枠３０に再度表示されるため、その情報の内容を確実に伝えることの可能な端末１、方法及びプログラムを提供できる。
【００４１】
そして、再表示部１３による再表示の対象となる受信情報としては、広告であることが好ましい。広告については、再表示することで、広告主から指定された表示保証時間が経過するまで再表示を行うことができ、これにより、ユーザに対し、十分な画面露出時間を確保することができる。
【００４２】
本実施形態では、予め複数の表示領域３１ａ〜３１ｄを設けないで受信情報を画面枠３０の内部を移動させるものであったが、これに限るものではない。例えば、図６に示すように、画面枠３０の中に予め複数の表示領域３１ａ〜３１ｄを設け、一方の端部である先頭の表示領域３１ａから他方の端部である第４表示領域３１ｄに向けて受信情報を移動させるものであってもよい。
【００４３】
なお、本実施形態に記載された効果は、本発明から生じる最も好適な効果を列挙したに過ぎず、本発明による効果は、本実施形態に記載されたものに限定されるものではない。
【符号の説明】
【００４４】
１  端末
２  情報配信サーバ
１０  制御部
１１  情報受信部
１２  表示部
１３  再表示部
２０  記憶部
２１  受信情報データベース
２２  表示保証時間データベース
３０  画面枠
３１ａ〜３１ｄ  表示領域
【図１】
0005197705.tif 000002
【図２】
0005197705.tif 000003
【図３】
0005197705.tif 000004
【図４】
0005197705.tif 000005
【図５】
0005197705.tif 000006
【図６】
0005197705.tif 000007